(57)【要約】      （修正有）【課題】内部に掛け布団又は毛布又は布団を収納し易いと共に、収納した掛け布団又は毛布又は布団が内部からはみ出しにくい布団カバーを提供する。【解決手段】  布団カバーＫは、表側カバー１と裏側カバーを重ねて、表側カバー１及び裏側カバーの短辺の一部を接合しない部位を残して形成されると共に、内部に掛け布団又は毛布又は布団を収納する袋状の本体１０と、対向する表側カバー１の第１の短辺と裏側カバーの第１’の短辺は、一方の端から他方の端に向かって、順次、前記第１の短辺と前記第１’の短辺とが接合する部位である第１の接合部Ｘ、前記第１の短辺と前記第１’の短辺とが接合しない部位である第１の中間非接合部Ｙ、前記第１の短辺と前記第１’の短辺とが接合する部位である第２の接合部Ｚであり、 対向する短辺も同様に構成する。【選択図】図１
2008289704.tif 000002
【特許請求の範囲】
【請求項１】
第１、第２の短辺と第１、第２の長辺からなる矩形形状の表側カバーと第１’、第
２’の短辺と第１’、第２’の長辺からなる矩形形状の裏側カバーを重ねて、前記表
側カバー及び前記裏側カバーの前記短辺の一部を接合しない部位を残して形成される
と共に、内部に掛け布団又は毛布又は布団を収納する袋状の本体と、
対向する前記第１の短辺と前記第１’の短辺は、前記第１の短辺及び前記第１’の短  辺の一方の端から他方の端に向かって、順次、前記第１の短辺と前記第１’の短辺とが  接合する部位である第１の接合部、前記第１の短辺と前記第１’の短辺とが接合しない  部位である第１の中間非接合部、前記第１の短辺と前記第１’の短辺とが接合する部位  である第２の接合部であり、
対向する前記第２の短辺と前記第２’の短辺は、前記第２の短辺及び前記第２’の短  辺の一方の端から他方の端に向かって、順次、前記第２の短辺と前記第２’の短辺とが  接合する部位である第１’の接合部、前記第２の短辺と前記第２’の短辺とが接合しな  い部位である第２の中間非接合部、前記第２の短辺と前記第２’の短辺とが接合する部  位である第２’の接合部であり、
前記短辺の一部を接合しない部位は、前記第１の中間非接合部と前記第２の中間非接  合部であり、
時計回りに、第１の辺、第２の辺、第３の辺、第４の辺を有し、前記第１の中間非接  合部に対応する前記裏側カバーの部位に前記第１の辺が接合され、前記第２の辺が前記  表側カバーに接合され、前記第３の辺が前記表側カバー及び前記裏側カバーに非接合で  、前記第４の辺が前記表側カバーに接合される第１の飛び出し防止部材と、
時計回りに、第１’の辺、第２’の辺、第３’の辺、第４’の辺を有し、前記第２の  中間非接合部に対応する前記裏側カバーの部位に前記第１’の辺が接合され、前記第
２’の辺が前記表側カバーに接合され、前記第３’の辺が前記表側カバー及び前記裏側  カバーに非接合で、前記第４’の辺が前記表側カバーに接合される第２の飛び出し防止  部材とを備えている
ことを特徴とする布団カバー。
【請求項２】
第１、第２の短辺と第１、第２の長辺からなる矩形形状の表側カバーと第１’、第
２’の短辺と第１’、第２’の長辺からなる矩形形状の裏側カバーを重ねて、前記表側  カバー及び前記裏側カバーの前記短辺の一部を接合しない部位を残して形成されると共  に、内部に掛け布団又は毛布又は布団を収納する袋状の本体と、
対向する前記第１の短辺と前記第１’の短辺は、前記第１の短辺及び前記第１’の短  辺の一方の端から他方の端に向かって、順次、前記第１の短辺と前記第１’の短辺とが  接合する部位である第１の接合部、前記第１の短辺と前記第１’の短辺とが接合しない  部位である第１の中間非接合部、前記第１の短辺と前記第１’の短辺とが接合する部位  である第２の接合部であり、
対向する前記第２の短辺と前記第２’の短辺は、前記第２の短辺及び前記第２’の短  辺の一方の端から他方の端に向かって、順次、前記第２の短辺と前記第２’の短辺とが  接合する部位である第１’の接合部、前記第２の短辺と前記第２’の短辺とが接合しな  い部位である第２の中間非接合部、前記第２の短辺と前記第２’の短辺とが接合する部  位である第２’の接合部であり、
前記短辺の一部を接合しない部位は、前記第１の中間非接合部と前記第２の中間非接  合部であり、
時計回りに、第１の辺、第２の辺、第３の辺、第４の辺を有し、前記第１の中間非接  合部に対応する前記表側カバーの部位に前記第１の辺が接合され、前記第２の辺が前記  裏側カバーに接合され、前記第３の辺が前記表側カバー及び前記裏側カバーに非接合で  、前記第４の辺が前記裏側カバーに接合される第１の飛び出し防止部材と、
時計回りに、第１’の辺、第２’の辺、第３’の辺、第４’の辺を有し、前記第２の  中間非接合部に対応する前記裏側カバーの部位に前記第１’の辺が接合され、前記第
２’の辺が前記表側カバーに接合され、前記第３’の辺が前記表側カバー及び前記裏側  カバーに非接合で、前記第４’の辺が前記表側カバーに接合される第２の飛び出し防止  部材とを備えている
ことを特徴とする布団カバー。
【請求項３】
第１、第２の短辺と第１、第２の長辺からなる矩形形状の表側カバーと第１’、第
２’の短辺と第１’、第２’の長辺からなる矩形形状の裏側カバーを重ねて、前記表側  カバー及び前記裏側カバーの前記短辺の一部を接合しない部位を残して形成されると共  に、内部に掛け布団又は毛布又は布団を収納する袋状の本体と、
対向する前記第１の短辺と前記第１’の短辺は、一方の端から他方の端に向かって、  順次、前記第１の短辺と前記第１’の短辺とが接合する部位である第１の接合部、前記  第１の短辺と前記第１’の短辺とが接合しない部位である第１の中間非接合部、前記第  １の短辺と前記第１’の短辺とが接合する部位である第２の接合部であり、
対向する前記第２の短辺と前記第２’の短辺は、一方の端から他方の端に向かって、  順次、前記第２の短辺と前記第２’の短辺とが接合する部位である第１’の接合部、前  記第２の短辺と前記第２’の短辺とが接合しない部位である第２の中間非接合部、前記  第２の短辺と前記第２’の短辺とが接合する部位である第２’の接合部であり、
前記短辺の一部を接合しない部位は、前記第１の中間非接合部と前記第２の中間非接  合部である
ことを特徴とする布団カバー。
【請求項４】
長さａである第１、第２の短辺と長さｂである第１、第２の長辺からなる矩形形状の  表側カバーと長さａである第１’、第２’の短辺と長さｂである第１’、第２’の長辺  からなる矩形形状の裏側カバーを重ねて、内部に掛け布団又は毛布又は布団を収納する  袋状の本体と、
前記表側カバーは３部材で構成され、
この３部材は、
長さａである辺、長さｂ１（ａ＞ｂ１）である辺の矩形形状である第１の部材と、      長さａである辺、長さｂ２（ａ＞ｂ２）である辺の矩形形状である第２の部材と、      長さａである辺、長さｂ３（ａ＞ｂ３）である辺の矩形形状である第３の部材とを    有し、
ここで、ｂ１＋ｂ２＋ｂ３≧ｂ、ｂ２＞ｂ１≧ｂ３であり、
前記３部材の内、前記第１の部材の長さａである一方の長さａの辺は前記裏側カバー  の短辺と接合され、前記第１の部材の長さａである他方の長さａの辺は前記第２の部材  の長さａである他方の長さａの辺と、前記第１の部材及び前記第２の部材の一方の端か  ら他方の端に向かって、順次、前記第１の部材と前記第２の部材とが接合する部位であ  る第１の接合部、前記第１の部材と前記第２の部材とが接合しない部位である第１の中  間非接合部、前記第１の部材と前記第２の部材とが接合する部位である第２の接合部で  あり、
時計回りに、第１の辺、第２の辺、第３の辺、第４の辺を有し、前記第１の中間非接  合部に対応する前記第１の部材の部位に前記第１の辺が接合すると共に、前記第１の中  間非接合部に対応する前記第２の部材の部位に前記第１の辺が非接合され、前記第２の  辺が前記第２の部材に接合され、前記第３の辺が前記第２の部材及び前記裏側カバーに  非接合で、前記第４の辺が前記第２の部材に接合される第１の飛び出し防止部材と、
前記第３の部材の長さａである一方の長さａの辺は前記裏側カバーの短辺と接合され  、前記第３の部材の長さａである他方の長さａの辺は前記第２の部材の長さａである一  方の長さａの辺と、前記第３の部材及び前記第２の部材の一方の端から他方の端に向か  って、順次、前記第３の部材と前記第２の部材とが接合する部位である第１’の接合部  、前記第３の部材と前記第２の部材とが接合しない部位である第２の中間非接合部、前  記第３の部材と前記第２の部材とが接合する部位である第２’の接合部であり、
時計回りに、第１’の辺、第２’の辺、第３’の辺、第４’の辺を有し、前記第２の  中間非接合部に対応する前記第３の部材の部位に前記第１’の辺が接合すると共に、前  記第２の中間非接合部に対応する前記第２の部材の部位に前記第１’の辺が非接合され  、前記第２’の辺が前記第２の部材に接合され、前記第３’の辺が前記第２の部材及び  前記裏側カバーに非接合で、前記第４’の辺が前記第２の部材に接合される第２の飛び  出し防止部材とを備えている
ことを特徴とする布団カバー。
【請求項５】
平面視、長さａである第１、第２の短辺と長さｂである第１、第２の長辺の矩形形状  の表側カバーと、長さａである第１’、第２’の短辺と長さｂである第１’、第２’の  長辺の裏側カバーで、内部に掛け布団又は毛布又は布団を収納する袋状の本体と、
前記裏側カバーは、展開した状態において、長さａである第１、第２の短辺と、長さ  ｂ１＋ｂ＋ｂ３である第１、第２の長辺の矩形形状の部材であり、
前記表側カバーは３部分で構成され、
この３部分は、
前記裏側カバーの一方の端部に近い側を折り返して形成される長さａである辺、長    さｂ１（ａ＞ｂ１）である辺の矩形形状である第１の部分と、
長さａである辺、長さｂ２（ａ＞ｂ２）である辺の矩形形状の部材である第２の    部分と、
前記裏側カバーの他方の端部に近い側を折り返して形成される長さａである辺、長    さｂ３（ａ＞ｂ３）である辺の矩形形状である第３の部分とを有し、
ここで、ｂ１＋ｂ２＋ｂ３≧ｂ、ｂ２＞ｂ１≧ｂ３であり、
前記３部分の内、
前記第１の部分の端部の長さａの辺は前記部材の長さａである他方の長さａの辺と    、前記第１の部分及び前記部材の一方の端から他方の端に向かって、順次、前記第１    の部分と前記第２の部分の部材とが接合する部位である第１の接合部、前記第１の部    分と前記第２の部分の部材とが接合しない部位である第１の中間非接合部、前記第１    の部分と前記第２の部分の部材とが接合する部位である第２の接合部であり、
時計回りに、第１の辺、第２の辺、第３の辺、第４の辺を有し、前記第１の中間非    接合部に対応する前記第１の部分の部位に前記第１の辺が接合すると共に、前記第１    の中間非接合部に対応する前記第２の部分の部材の部位に前記第１の辺が非接合され    、前記第２の辺が前記第２の部分の部材に接合され、前記第３の辺が前記第２の部分    の部材及び前記裏側カバーに非接合で、前記第４の辺が前記第２の部分の部材に接合    される第１の飛び出し防止部材と、
前記第３の部分の端部の長さａである他方の長さａの辺は前記第２の部分の部材の    長さａである一方の長さａの辺と、前記第３の部分及び前記第２の部分の部材の一方    の端から他方の端に向かって、順次、前記第３の部分と前記第２の部分の部材とが接    合する部位である第１’の接合部、前記第３の部分と前記第２の部分の部材とが接合    しない部位である第２の中間非接合部、前記第３の部分と前記第２の部分の部材とが    接合する部位である第２’の接合部であり、
時計回りに、第１’の辺、第２’の辺、第３’の辺、第４’の辺を有し、前記第２    の中間非接合部に対応する前記第３の部分の部位に前記第１’の辺が接合すると共に    、前記第２の中間非接合部に対応する前記第２の部分の部材の部位に前記第１’の辺    が非接合され、前記第２’の辺が前記第２の部分の部材に接合され、前記第３’の辺    が前記第２の部分の部材及び前記裏側カバーに非接合で、前記第４’の辺が前記第２    の部分の部材に接合される第２の飛び出し防止部材とを備えている
ことを特徴とする布団カバー。
【請求項６】
第３の辺の中央の部位は、第３の辺の両端の部位より第１の辺に近くなるように、前  記第３の辺は、Ｖ又はＵ形状に、
第３’の辺の中央の部位は、第３’の辺の両端の部位より第２の辺に近くなるように  、前記第３’の辺は、Ｖ又はＵ形状に、
それぞれ形成されている
ことを特徴とする請求項１、２、４、５の何れか一記載の布団カバー。
【請求項７】
第１、第２の短辺と第１、第２の長辺からなる矩形形状の表側カバーと第１’、第
２’の短辺と第１’、第２’の長辺からなる矩形形状の裏側カバーを重ねて形成される  と共に、内部に掛け布団又は毛布又は布団を収納する袋状の本体と、
前記第２の短辺よりは前記第１の短辺に近い側にあって、前記表側カバーに設けられ  ると共に、前記第１の短辺及び前記第２の短辺に平行な、前記掛け布団又は前記毛布又  は前記布団を出し入れする第１の開口部と、 
前記第１の短辺よりは前記第２の短辺に近い側にあって、前記表側カバーに設けられ  ると共に、前記第１の短辺及び前記第２の短辺に平行な、前記掛け布団又は前記毛布又  は前記布団を出し入れする第２の開口部とを備えている
ことを特徴とする布団カバー。
【発明の詳細な説明】
【技術分野】
【０００１】
本発明は、布団カバーに係り、特に、袋状の本体の内部に掛け布団又は毛布又は布団を収納し易いと共に、収納した掛け布団又は毛布又は布団が袋状の本体の内部からはみ出しにくい布団カバーに関する。
【０００２】
従来、矩形形状の表側カバーと矩形形状の裏側カバーを重ねて、前記表側カバー及び前記裏側カバーの一方の長辺の一部に接合しない部位を残して形成した布団カバーがある。
【発明の開示】
【発明が解決しようとする課題】
【０００３】
しかしながら、上述した布団カバーにあっては、布団カバー内に掛け布団又は毛布又は布団を収納する際、開口部が一方にしかないため、布団カバー内に掛け布団又は毛布又は布団を所定の位置に収納させるには、手間を要し、作業性が良くないという問題点があった。  
【０００４】
本発明は、上記の問題点を除去するようにした布団カバーを提供することを目的とする。
【課題を解決するための手段】
【０００５】
本発明の布団カバーは、第１、第２の短辺と第１、第２の長辺からなる矩形形状の表側カバーと第１’、第２’の短辺と第１’、第２’の長辺からなる矩形形状の裏側カバーを重ねて、前記表側カバー及び前記裏側カバーの前記短辺の一部を接合しない部位を残して形成されると共に、内部に掛け布団又は毛布又は布団を収納する袋状の本体と、対向する前記第１の短辺と前記第１’の短辺は、前記第１の短辺及び前記第１’の短辺の一方の端から他方の端に向かって、順次、前記第１の短辺と前記第１’の短辺とが接合する部位である第１の接合部、前記第１の短辺と前記第１’の短辺とが接合しない部位である第１の中間非接合部、前記第１の短辺と前記第１’の短辺とが接合する部位である第２の接合部であり、対向する前記第２の短辺と前記第２’の短辺は、前記第２の短辺及び前記第２’の短辺の一方の端から他方の端に向かって、順次、前記第２の短辺と前記第２’の短辺とが接合する部位である第１’の接合部、前記第２の短辺と前記第２’の短辺とが接合しない部位である第２の中間非接合部、前記第２の短辺と前記第２’の短辺とが接合する部位である第２’の接合部であり、前記短辺の一部を接合しない部位は、前記第１の中間非接合部と前記第２の中間非接合部であり、時計回りに、第１の辺、第２の辺、第３の辺、第４の辺を有し、前記第１の中間非接合部に対応する前記裏側カバーの部位に前記第１の辺が接合され、前記第２の辺が前記表側カバーに接合され、前記第３の辺が前記表側カバー及び前記裏側カバーに非接合で、前記第４の辺が前記表側カバーに接合される第１の飛び出し防止部材と、時計回りに、第１’の辺、第２’の辺、第３’の辺、第４’の辺を有し、前記第２の中間非接合部に対応する前記裏側カバーの部位に前記第１’の辺が接合され、前記第２’の辺が前記表側カバーに接合され、前記第３’の辺が前記表側カバー及び前記裏側カバーに非接合で、前記第４’の辺が前記表側カバーに接合される第２の飛び出し防止部材とを備えている。
【０００６】
また、請求項２記載の布団カバーは、第１、第２の短辺と第１、第２の長辺からなる矩形形状の表側カバーと第１’、第２’の短辺と第１’、第２’の長辺からなる矩形形状の裏側カバーを重ねて、前記表側カバー及び前記裏側カバーの前記短辺の一部を接合しない部位を残して形成されると共に、内部に掛け布団又は毛布又は布団を収納する袋状の本体と、対向する前記第１の短辺と前記第１’の短辺は、前記第１の短辺及び前記第１’の短辺の一方の端から他方の端に向かって、順次、前記第１の短辺と前記第１’の短辺とが接合する部位である第１の接合部、前記第１の短辺と前記第１’の短辺とが接合しない部位である第１の中間非接合部、前記第１の短辺と前記第１’の短辺とが接合する部位である第２の接合部であり、対向する前記第２の短辺と前記第２’の短辺は、前記第２の短辺及び前記第２’の短辺の一方の端から他方の端に向かって、順次、前記第２の短辺と前記第２’の短辺とが接合する部位である第１’の接合部、前記第２の短辺と前記第２’の短辺とが接合しない部位である第２の中間非接合部、前記第２の短辺と前記第２’の短辺とが接合する部位である第２’の接合部であり、前記短辺の一部を接合しない部位は、前記第１の中間非接合部と前記第２の中間非接合部であり、時計回りに、第１の辺、第２の辺、第３の辺、第４の辺を有し、前記第１の中間非接合部に対応する前記表側カバーの部位に前記第１の辺が接合され、前記第２の辺が前記裏側カバーに接合され、前記第３の辺が前記表側カバー及び前記裏側カバーに非接合で、前記第４の辺が前記裏側カバーに接合される第１の飛び出し防止部材と、時計回りに、第１’の辺、第２’の辺、第３’の辺、第４’の辺を有し、前記第２の中間非接合部に対応する前記裏側カバーの部位に前記第１’の辺が接合され、前記第２’の辺が前記表側カバーに接合され、前記第３’の辺が前記表側カバー及び前記裏側カバーに非接合で、前記第４’の辺が前記表側カバーに接合される第２の飛び出し防止部材とを備えている。
【０００７】
また、請求項３記載の布団カバーは、第１、第２の短辺と第１、第２の長辺からなる矩形形状の表側カバーと第１’、第２’の短辺と第１’、第２’の長辺からなる矩形形状の裏側カバーを重ねて、前記表側カバー及び前記裏側カバーの前記短辺の一部を接合しない部位を残して形成されると共に、内部に掛け布団又は毛布又は布団を収納する袋状の本体と、対向する前記第１の短辺と前記第１’の短辺は、一方の端から他方の端に向かって、順次、前記第１の短辺と前記第１’の短辺とが接合する部位である第１の接合部、前記第１の短辺と前記第１’の短辺とが接合しない部位である第１の中間非接合部、前記第１の短辺と前記第１’の短辺とが接合する部位である第２の接合部であり、対向する前記第２の短辺と前記第２’の短辺は、一方の端から他方の端に向かって、順次、前記第２の短辺と前記第２’の短辺とが接合する部位である第１’の接合部、前記第２の短辺と前記第２’の短辺とが接合しない部位である第２の中間非接合部、前記第２の短辺と前記第２’の短辺とが接合する部位である第２’の接合部であり、前記短辺の一部を接合しない部位は、前記第１の中間非接合部と前記第２の中間非接合部である。
【０００８】
また、請求項４記載の布団カバーは、長さａである第１、第２の短辺と長さｂである第１、第２の長辺からなる矩形形状の  表側カバーと長さａである第１’、第２’の短辺と長さｂである第１’、第２’の長辺か  らなる矩形形状の裏側カバーを重ねて、内部に掛け布団又は毛布又は布団を収納する袋  状の本体と、前記表側カバーは３部材で構成され、この３部材は、長さａである辺、長さｂ１（ａ＞ｂ１）である辺の矩形形状である第１の部材と、長さａである辺、長さｂ２（ａ＞ｂ２）である辺の矩形形状である第２の部材と、長さａである辺、長さｂ３（ａ＞ｂ３）である辺の矩形形状である第３の部材とを有し、ここで、ｂ１＋ｂ２＋ｂ３≧ｂ、ｂ２＞ｂ１≧ｂ３であり、前記３部材の内、前記第１の部材の長さａである一方の長さａの辺は前記裏側カバーの短辺と接合され、前記第１の部材の長さａである他方の長さａの辺は前記第２の部材の長さａである他方の長さａの辺と、前記第１の部材及び前記第２の部材の一方の端から他方の端に向かって、順次、前記第１の部材と前記第２の部材とが接合する部位である第１の接合部、前記第１の部材と前記第２の部材とが接合しない部位である第１の中間非接合部、前記第１の部材と前記第２の部材とが接合する部位である第２の接合部であり、時計回りに、第１の辺、第２の辺、第３の辺、第４の辺を有し、前記第１の中間非接合部に対応する前記第１の部材の部位に前記第１の辺が接合すると共に、前記第１の中間非接合部に対応する前記第２の部材の部位に前記第１の辺が非接合され、前記第２の辺が前記第２の部材に接合され、前記第３の辺が前記第２の部材及び前記裏側カバーに非接合で、前記第４の辺が前記第２の部材に接合される第１の飛び出し防止部材と、前記第３の部材の長さａである一方の長さａの辺は前記裏側カバーの短辺と接合され、前記第３の部材の長さａである他方の長さａの辺は前記第２の部材の長さａである一方の長さａの辺と、前記第３の部材及び前記第２の部材の一方の端から他方の端に向かって、順次、前記第３の部材と前記第２の部材とが接合する部位である第１’の接合部、前記第３の部材と前記第２の部材とが接合しない部位である第２の中間非接合部、前記第３の部材と前記第２の部材とが接合する部位である第２’の接合部であり、時計回りに、第１’の辺、第２’の辺、第３’の辺、第４’の辺を有し、前記第２の中間非接合部に対応する前記第３の部材の部位に前記第１’の辺が接合すると共に、前記第２の中間非接合部に対応する前記第２の部材の部位に前記第１’の辺が非接合され、前記第２’の辺が前記第２の部材に接合され、前記第３’の辺が前記第２の部材及び前記裏側カバーに非接合で、前記第４’の辺が前記第２の部材に接合される第２の飛び出し防止部材とを備えている。
【０００９】
また、請求項５記載の布団カバーは、平面視、長さａである第１、第２の短辺と長さｂである第１、第２の長辺の矩形形状の表側カバーと、長さａである第１’、第２’の短辺と長さｂである第１’、第２’の長辺の裏側カバーで、内部に掛け布団又は毛布又は布団を収納する袋状の本体と、前記裏側カバーは、展開した状態において、長さａである第１、第２の短辺と、長さｂ１＋ｂ＋ｂ３である第１、第２の長辺の矩形形状の部材であり、前記表側カバーは３部分で構成され、この３部分は、前記裏側カバーの一方の端部に近い側を折り返して形成される長さａである辺、長さｂ１（ａ＞ｂ１）である辺の矩形形状である第１の部分と、長さａである辺、長さｂ２（ａ＞ｂ２）である辺の矩形形状の部材である第２の部分と、前記裏側カバーの他方の端部に近い側を折り返して形成される長さａである辺、長さｂ３（ａ＞ｂ３）である辺の矩形形状である第３の部分とを有し、ここで、ｂ１＋ｂ２＋ｂ３≧ｂ、ｂ２＞ｂ１≧ｂ３であり、前記３部分の内、前記第１の部分の端部の長さａの辺は前記部材の長さａである他方の長さａの辺と、前記第１の部分及び前記部材の一方の端から他方の端に向かって、順次、前記第１の部分と前記第２の部分の部材とが接合する部位である第１の接合部、前記第１の部分と前記第２の部分の部材とが接合しない部位である第１の中間非接合部、前記第１の部分と前記第２の部分の部材とが接合する部位である第２の接合部であり、時計回りに、第１の辺、第２の辺、第３の辺、第４の辺を有し、前記第１の中間非接合部に対応する前記第１の部分の部位に前記第１の辺が接合すると共に、前記第１の中間非接合部に対応する前記第２の部分の部材の部位に前記第１の辺が非接合され、前記第２の辺が前記第２の部分の部材に接合され、前記第３の辺が前記第２の部分の部材及び前記裏側カバーに非接合で、前記第４の辺が前記第２の部分の部材に接合される第１の飛び出し防止部材と、前記第３の部分の端部の長さａである他方の長さａの辺は前記第２の部分の部材の長さａである一方の長さａの辺と、前記第３の部分及び前記第２の部分の部材の一方の端から他方の端に向かって、順次、前記第３の部分と前記第２の部分の部材とが接合する部位である第１’の接合部、前記第３の部分と前記第２の部分の部材とが接合しない部位である第２の中間非接合部、前記第３の部分と前記第２の部分の部材とが接合する部位である第２’の接合部であり、時計回りに、第１’の辺、第２’の辺、第３’の辺、第４’の辺を有し、前記第２の中間非接合部に対応する前記第３の部分の部位に前記第１’の辺が接合すると共に、前記第２の中間非接合部に対応する前記第２の部分の部材の部位に前記第１’の辺が非接合され、前記第２’の辺が前記第２の部分の部材に接合され、前記第３’の辺が前記第２の部分の部材及び前記裏側カバーに非接合で、前記第４’の辺が前記第２の部分の部材に接合される第２の飛び出し防止部材とを備えている。
【００１０】
また、請求項６記載の布団カバーは、１、２、４、５の何れか一記載の布団カバーにおいて、第３の辺の中央の部位は、第３の辺の両端の部位より第１の辺に近くなるように、前記第３の辺は、Ｖ又はＵ形状に、第３’の辺の中央の部位は、第３’の辺の両端の部位より第２の辺に近くなるように、前記第３’の辺は、Ｖ又はＵ形状に、それぞれ形成されている。
【００１１】
また、請求項７記載の布団カバーは、第１、第２の短辺と第１、第２の長辺からなる矩形形状の表側カバーと第１’、第２’の短辺と第１’、第２’の長辺からなる矩形形状の裏側カバーを重ねて形成されると共に、内部に掛け布団又は毛布又は布団を収納する袋状の本体と、前記第２の短辺よりは前記第１の短辺に近い側にあって、前記表側カバーに設けられると共に、前記第１の短辺及び前記第２の短辺に平行な、前記掛け布団又は前記毛布又は前記布団を出し入れする第１の開口部と、前記第１の短辺よりは前記第２の短辺に近い側にあって、前記表側カバーに設けられると共に、前記第１の短辺及び前記第２の短辺に平行な、前記掛け布団又は前記毛布又は前記布団を出し入れする第２の開口部とを備えている。
【発明の効果】
【００１２】
請求項１記載の布団カバーによれば、布団カバー内への掛け布団又は毛布又は布団は、第１の中間非接合部を利用して入れ、入れた方と逆の第２の中間非接合部を利用して手を入れて、入れた掛け布団又は毛布又は布団を、袋状の本体の内部へ引っ張り込み易く、作業性が良いと共に、収納後は、第１の短辺、第１’の短辺の側は、第１の接合部、第２の接合部により、第２の短辺、第２’の短辺の側は、第１’の接合部、第２’の接合部により、収納した掛け布団又は毛布又は布団が袋状の本体の内部からはみ出しにくく、しかも、時計回りに、第１の辺、第２の辺、第３の辺、第４の辺を有し、前記第１の中間非接合部に対応する裏側カバーの部位に前記第１の辺が接合され、前記第２の辺が前記表側カバーに接合され、前記第３の辺が前記表側カバー及び前記裏側カバーに非接合で、前記第４の辺が前記表側カバーに接合される第１の飛び出し防止部材により、袋状の本体の内部に収納された前記掛け布団又は毛布又は布団が前記袋状の本体の外への飛び出しを、時計回りに、第１’の辺、第２’の辺、第３’の辺、第４’の辺を有し、前記第２の中間非接合部に対応する裏側カバーの部位に前記第１’の辺が接合され、前記第２’の辺が前記表側カバーに接合され、前記第３’の辺が前記表側カバー及び前記裏側カバーに非接合で、前記第４’の辺が前記表側カバーに接合される第２の飛び出し防止部材により、袋状の本体の内部に収納された前記掛け布団又は毛布又は布団が前記袋状の本体の外への飛び出しを、更に防止することができる等の効果を有する。
【００１３】
また、請求項２記載の布団カバーによれば、布団カバー内への掛け布団又は毛布又は布団は、第１の中間非接合部を利用して入れ、入れた方と逆の第２の中間非接合部を利用して手を入れて、入れた掛け布団又は毛布又は布団を、袋状の本体の内部へ引っ張り込み易く、作業性が良いと共に、収納後は、第１の短辺、第１’の短辺の側は、第１の接合部、第２の接合部により、第２の短辺、第２’の短辺の側は、第１’の接合部、第２’の接合部により、収納した掛け布団又は毛布又は布団が袋状の本体の内部からはみ出しにくく、
しかも、時計回りに、第１の辺、第２の辺、第３の辺、第４の辺を有し、前記第１の中間非接合部に対応する表側カバーの部位に前記第１の辺が接合され、前記第２の辺が前記裏側カバーに接合され、前記第３の辺が前記表側カバー及び前記裏側カバーに非接合で、前記第４の辺が前記裏側カバーに接合される第１の飛び出し防止部材により、袋状の本体の内部に収納された前記掛け布団又は布団が前記袋状の本体の外への飛び出しを、
時計回りに、第１’の辺、第２’の辺、第３’の辺、第４’の辺を有し、前記第２の中間非接合部に対応する裏側カバーの部位に前記第１’の辺が接合され、前記第２’の辺が前記表側カバーに接合され、前記第３’の辺が前記表側カバー及び前記裏側カバーに非接合で、前記第４’の辺が前記表側カバーに接合される第２の飛び出し防止部材により、袋状の本体の内部に収納された掛け布団又は毛布又は布団が前記袋状の本体の外への飛び出しを、更に防止することができる等の効果を有する。
【００１４】
また、請求項３記載の布団カバーによれば、布団カバー内への掛け布団又は毛布又は布団は、第１の中間非接合部を利用して入れ、入れた方と逆の第２の中間非接合部を利用して手を入れて、入れた掛け布団又は毛布又は布団を、袋状の本体の内部へ引っ張り込み易く、作業性が良いと共に、収納後は、第１の短辺、第１’の短辺の側は、第１の接合部、第２の接合部により、第２の短辺、第２’の短辺の側は、第１’の接合部、第２’の接合部により、収納した掛け布団又は布団が袋状の本体の内部からはみ出しにくい等の効果を有する。
【００１５】
また、請求項４記載の布団カバーによれば、布団カバー内への掛け布団又は毛布又は布団は、第１の中間非接合部を利用して入れ、入れた方と逆の第２の中間非接合部を利用して手を入れて、入れた掛け布団又は毛布又は布団を、袋状の本体の内部へ引っ張り込み易く、作業性が良いと共に、収納後は、掛け布団又は毛布又は布団の一方は、第１の短辺、第１’の短辺により、掛け布団又は毛布又は布団の他方は、第２の短辺、第２’の短辺により、収納した掛け布団又は毛布又は布団が袋状の本体の内部からはみ出しにくく、しかも、時計回りに、第１の辺、第２の辺、第３の辺、第４の辺を有し、前記第１の中間非接合部に対応する部位に前記第１の辺が接合され、前記第２の辺が第２の部材に接合され、前記第３の辺が前記第２の部材に非接合で、前記第４の辺が前記第２の部材に接合される第１の飛び出し防止部材により、袋状の本体の内部に収納された掛け布団又は毛布又は布団が前記袋状の本体の外への飛び出しを、時計回りに、第１’の辺、第２’の辺、第３’の辺、第４’の辺を有し、前記第２の中間非接合部に対応する部位に前記第１’の辺が接合され、前記第２’の辺が前記第２の部材に接合され、前記第３’の辺が前記第２の部材に非接合で、前記第４’の辺が前記第２の部材に接合される第２の飛び出し防止部材により、袋状の本体の内部に収納された掛け布団又は毛布又は布団が前記袋状の本体の外への飛び出しを更に防止することができる等の効果を有する。
【００１６】
また、請求項５記載の布団カバーによれば、布団カバー内への掛け布団又は毛布又は布団は、第１の中間非接合部を利用して入れ、入れた方と逆の第２の中間非接合部を利用して手を入れて、入れた掛け布団又は毛布又は布団を、袋状の本体の内部へ引っ張り込み易く、作業性が良いと共に、収納後は、掛け布団又は毛布又は布団の一方は、第１の短辺、第１’の短辺により、掛け布団又は毛布又は布団の他方は、第２の短辺、第２’の短辺により、収納した掛け布団又は毛布又は布団が袋状の本体の内部からはみ出しにくく、しかも、時計回りに、第１の辺、第２の辺、第３の辺、第４の辺を有し、前記第１の中間非接合部に対応する部位に前記第１の辺が接合され、前記第２の辺が第２の部材に接合され、前記第３の辺が前記第２の部材に非接合で、前記第４の辺が前記第２の部材に接合される第１の飛び出し防止部材により、袋状の本体の内部に収納された掛け布団又は毛布又は布団が前記袋状の本体の外への飛び出しを、時計回りに、第１’の辺、第２’の辺、第３’の辺、第４’の辺を有し、前記第２の中間非接合部に対応する部位に前記第１’の辺が接合され、前記第２’の辺が前記第２の部材に接合され、前記第３’の辺が前記第２の部材に非接合で、前記第４’の辺が前記第２の部材に接合される第２の飛び出し防止部材により、袋状の本体の内部に収納された掛け布団又は毛布又は布団が前記袋状の本体の外への飛び出しを更に防止することができる等の効果を有する。
【００１７】
また、請求項６記載の布団カバーによれば、布団カバー内への掛け布団又は布団は、第１の開口部を利用して入れ、入れた方と逆の第２の開口部を利用して手を入れて、入れた掛け布団又は布団を、袋状の本体の内部へ引っ張り込み易く、作業性が良いと共に、収納後は、袋状の本体により、収納した掛け布団又は布団が袋状の本体の内部からはみ出しにくい等の効果を有する。
【発明を実施するための最良の形態】
【００１８】
本発明の布団カバーの一実施例を図面を参照して説明する。
図１乃至図９において、Ｋは、掛け布団Ｆ（又は布団又は毛布）を収納する布団カバーで、布団カバーＫは、図３に示すように、第１、第２の短辺ＭＮ、ＰＯと第１、第２の長辺ＭＰ、ＮＯからなる矩形形状の表側カバー１と第１’、第２’の短辺Ｍ’Ｎ’、Ｐ’Ｏ’と第１’、第２’の長辺Ｍ’Ｐ’、Ｎ’Ｏ’からなる矩形形状の裏側カバー２を重ねて  、表側カバー１及び裏側カバー２の説明を後述する「短辺ＭＮと短辺Ｍ’Ｎ’、短辺ＰＯと短辺Ｐ’Ｏ’の一部を接合しない部位」を残して形成されると共に、内部に布団Ｆ（又は掛け布団又は毛布）を収納する袋状の本体１０を有している。
【００１９】
袋状の本体１０の一方の長手方向の端部Ｍ（Ｍ’）である対向する第１の短辺ＭＮと第１’の短辺Ｍ’Ｎ’は、一方の端Ｍから他方の端Ｎに向かって、順次、第１の短辺ＭＮと第１’の短辺Ｍ’Ｎ’とが接合する部位である第１の接合部Ｘ（図１及び図７参照）、第１の短辺ＭＮと第１’の短辺Ｍ’Ｎ’とが接合しない部位である第１の中間非接合部Ｙ（図１及び図６参照）、第１の短辺ＭＮと第１’の短辺Ｍ’Ｎ’とが接合する部位である第２の接合部Ｚ（図１及び図７参照）となっている。
また、袋状の本体１の他方の長手方向の端部である対向する第２の短辺ＰＯと第２’の短辺Ｐ’Ｏ’は、一方の端Ｐ（Ｐ’）から他方の端Ｏ（Ｏ’）に向かって、順次、第２の短辺ＰＯと第２’の短辺Ｐ’Ｏ’とが接合する部位である第１’の接合部Ｘ’（図１及び図７参照）、第２の短辺ＰＯと第２’の短辺Ｐ’Ｏ’とが接合しない部位である第２の中間非接合部Ｙ’（図１及び図６参照）、第２の短辺ＰＯと第２’の短辺Ｐ’Ｏ’とが接合する部位である第２’の接合部Ｚ’（図１及び図７参照）となっている。上記した「短辺ＭＮと短辺Ｍ’Ｎ’、短辺ＰＯと短辺Ｐ’Ｏ’の一部を接合しない部位」は、第１の中間非接合部Ｙと第２の中間非接合部Ｙ’である。
【００２０】
図３に示す１１は、袋状の本体１０の一方の長手方向の端部ＭＮ（Ｍ’Ｎ’）の側に設けられた第１の飛び出し防止部材で、第１の飛び出し防止部材１１は、平面視、時計回りに、第１の辺１１ａ、第２の辺１１ｂ、第３の辺１１ｃ、第４の辺１１ｄを有し、第１の中間非接合部Ｙに対応する裏側カバー２の部位に第１の辺１１ａが接合され、第２の辺１１ｂが表側カバー１に接合され、第３の辺１１ｃが表側カバー１及び裏側カバー２に非接合で、第４の辺１１ｄが表側カバー１に接合（例えば、縫製である。）されている。
また、図３に示す１２は、袋状の本体１０の他方の長手方向の端部ＰＯ（Ｐ’Ｏ’）の側に設けられた第２の飛び出し防止部材で、第２の飛び出し防止部材１２は、平面視、時計回りに、第１’の辺１２ａ、第２’の辺１２ｂ、第３’の辺１２ｃ、第４’の辺１２ｄを有し、第２の中間非接合部Ｙ’に対応する裏側カバー２の部位に第１’の辺１２ａが接合され、第２’の辺１２ｂが表側カバー１に接合され、第３’の辺１２ｃが表側カバー１及び裏側カバー２に非接合で、第４’の辺１２ｄが表側カバー１に接合（例えば、縫製である。）されている。
【００２１】
従って、上述した布団カバーＫによれば、布団カバーＫ内への布団Ｆ（又は掛け布団又は毛布）は、図８及び図９に示すように、開口部である第２の中間非接合部Ｙ’（又は開口部である第１の中間非接合部Ｙ）を利用して入れ、入れた方と逆の第１の中間非接合部Ｙ（又は第２の中間非接合部Ｙ’）を利用して手を入れて、入れた布団Ｆ（又は掛け布団又は毛布）を、袋状の本体１０の内部へ引っ張り込むことができ、作業性がきわめて良くなると共に、収納後は、第１の短辺ＭＮ、第１’の短辺Ｍ’Ｎ’の側は、第１の接合部Ｘ、第２の接合部Ｚにより  、第２の短辺ＰＯ、第２’の短辺Ｐ’Ｏ’の側は、第１’の接合部Ｘ’、第２’の接合部Ｙ’により、収納した布団Ｆ（又は掛け布団又は毛布）が袋状の本体１０の内部からはみ出しにくい。
しかも、第１の飛び出し防止部材１１により、袋状の本体１０の内部に収納された布団Ｆ（又は掛け布団又は毛布）の一端が袋状の本体１０の外への飛び出しを、第２の飛び出し防止部材１２により、袋状の本体１０の内部に収納された布団Ｆ（又は掛け布団又は毛布）の他端が袋状の本体１０の外への飛び出しを、更に防止することができる。
【００２２】
上述した実施例においては、第１の飛び出し防止部材１１と表側カバー１とを接続する部材を設けなかったが、紐２０、２０（図１０）、面状ファスナー２２、２２（図１１）、釦２４と該釦２４に係止する係止穴２５（図１２）を、それぞれ設けて、第１の飛び出し防止部材１１と表側カバー１とを接続するようにしても良い。
同様に、第２の飛び出し防止部材１２と表側カバー１とを接続する部材を設けなかったが、紐２１、２１（図１０）、面状ファスナー２３、２３（図１１）、釦２６と該釦２６に係止する係止穴２７（図１２）を、それぞれ設けて、第２の飛び出し防止部材１２と表側カバー１とを接続するようにしても良い。
【００２３】
また、上述した実施例においては、第１の飛び出し防止部材１１及び第２の飛び出し防止部材１２は、平面視、矩形形状であったが、本発明はこれに限らず、図１３に示すように、第１の飛び出し防止部材１１の第３の辺１１ｃの中央の部位は、第３の辺１１ｃの両端の部位より第１の辺１１ａに近くなるように、第３の辺１１ｃは、Ｖ形状（又はＵ形状）に、第２の飛び出し防止部材１２の第３’の辺１２ｃの中央の部位は、第３’の辺１２ｃの両端の部位より第１’の辺１２ａに近くなるように、第３’の辺１２ｃは、Ｖ形状（又はＵ形状）に、それぞれ形成するようにしても良い。
【００２４】
また、上述した実施例においては、第１の飛び出し防止部材１１の第１の辺１１ａ及び第２の飛び出し防止部材１２の第１の辺１２ａを裏側カバー２に取り付けるようにしているが、本発明にあっては、これに限らず、第１の飛び出し防止部材１１の第１の辺１１ａを表側カバー１に、第２の飛び出し防止部材１２の第１の辺１２ａを裏側カバー２に取り付けるようにしても良い（図１４及び図１５）。
即ち、時計回りに、第１の辺１１ａ、第２の辺１１ｂ、第３の辺１１ｃ、第４の辺１１ｄを有した第１の飛び出し防止部材１１は、第１の中間非接合部Ｙに対応する表側カバー１の部位に第１の辺１１ａが接合され、第２の辺１１ｂが裏側カバー２に接合され、第３の辺１１ｃが表側カバー１及び裏側カバー２に非接合で、第４の辺１１ｄが裏側カバー２に接合されている。ここで、接合は、例えば、縫製である。
袋状の本体１０の他方の長手方向の端部の側に設けられ、時計回りに、第１’の辺１２ａ、第２’の辺１２ｂ、第３’の辺１２ｃ、第４’の辺１２ｄを有した第２の飛び出し防止部材１２は、第２の中間非接合部Ｙ’に対応する裏側カバー２の部位に第１’の辺１２ａが接合され、第２’の辺１２ｂが表側カバー１に接合され、第３’の辺１２ｃが表側カバー１及び裏側カバー２に非接合で、第４’の辺１２ｄが表側カバー１に接合されている。ここで、接合は、例えば、縫製である。
【００２５】
また、上述した実施例（図１〜図９、図１３及び図１４〜図１５）においては、第１の飛び出し防止部材１１及び第２の飛び出し防止部材１２を設けるようにしているが、本発明はこれに限らず、場合により第１の飛び出し防止部材１１及び第２の飛び出し防止部材１２を省略して、表側カバー１及び裏側カバー２の短辺の一部を接合しない部位を残して、開口部である第１の中間非接合部Ｙ、開口部である第２の中間非接合部Ｙ’を介して  、布団カバーＫ内への布団Ｆ（又は掛け布団又は毛布）の出し入れを行うようにしても良い。
【００２６】
また、上述した実施例においては、布団カバーＫ内への布団Ｆ（又は掛け布団又は毛布）の出し入れを、第１の中間非接合部Ｙ及び第２の中間非接合部Ｙ’のように、表側カバー１と裏側カバー２の短辺ＭＮ、ＰＯ側の境目に設けたが、本発明はこれに限らず、境目でない表側カバー１の部位に設けるようにしても良い（図１６乃至図２２）。
【００２７】
即ち、上述した実施例と同様に、布団カバーＫは、第１、第２の短辺ＭＮ、ＰＯと第１、第２の長辺ＭＰ、ＮＯからなる矩形形状の表側カバー１と第１’、第２’の短辺Ｍ’Ｎ’、Ｐ’Ｏ’と第１’、第２’の長辺Ｍ’Ｐ’、Ｎ’Ｏ’からなる矩形形状の裏側カバー２を重ねて形成されると共に、内部に図示しない布団（又は掛け布団又は毛布）を収納する袋状の本体１０とを有している。
図１６に示すＹ1は図示しない布団（又は掛け布団又は毛布）の出し入れをする第１の開口部で、第１の開口部Ｙ1は、第２の短辺ＰＯよりは第１の短辺ＭＮに近い側にあって、表側カバー１に設けられると共に、第１の短辺ＭＮ及び第２の短辺ＰＯに平行なものである。
【００２８】
表側カバー１は、平面視、長さａである短辺と長さｂである長辺（ａ＜ｂ）の矩形形状で、表側カバー１は、例えば、３部材で構成される（図１８及び図２２）。
この３部材は、図１８に示すように、長さａである辺、長さｂ１（ａ＞ｂ１）である辺の矩形形状である第１の部材１０１と、長さａである辺、長さｂ２（ａ＞ｂ２）である辺の矩形形状である第２の部材１０２と、長さａである辺、長さｂ３（ａ＞ｂ３）である辺の矩形形状である第３の部材１０３とを有し、縫製による縫い代を考慮し、ｂ１＋ｂ２＋ｂ３≧ｂ、ｂ２＞ｂ１≧ｂ３となっている。
【００２９】
３部材１０１、１０２、１０３の内、第１の部材１０１の長さａである一方の長さａの辺ＭＮは裏側カバー２の短辺Ｍ’Ｎ’と接合（接合とは、例えば、縫製であり、図１８の「ｘｘｘ」及び「ーーー」は、接合される部位を示している。以下、同様である。）され、第１の部材１０１の長さａである他方の長さａの辺ＲＱと第２の部材１０２の長さａである他方の長さａの辺ＳＴは、第１の部材１０１及び第２の部材１０２の一方の端Ｒ（Ｓ）から他方の端Ｑ（Ｔ）に向かって、順次、第１の部材１０１と第２の部材１０２とが接合する部位（接合する部位は、図１８で言えば、第１の部材１０１のＲＲ1と第２の部材１０２のＳＳ1である。）である第１の接合部Ｘ、第１の部材１０１と第２の部材１０２とが接合しない部位（接合しない部位は、図１８で言えば、第１の部材１０１のＲ1Ｑ1と第２の部材１０２のＳ1Ｔ1である。）である第１の中間非接合部Ｙ、第１の部材１０１と第２の部材１０２とが接合する部位（接合する部位は、図１８で言えば、第１の部材１０１のＱ1Ｑと第２の部材１０２のＴ1Ｔである。）である第２の接合部Ｚとなっている（図１５及び図１８）。
【００３０】
また、第１の飛び出し防止部材１１は、平面視、時計回りに、第１の辺１１ａ、第２の辺１１ｂ、第３の辺１１ｃ、第４の辺１１ｄを有し、第１の中間非接合部Ｙに対応する第１の部材１０１の部位（図１８で言えば、Ｒ1Ｑ1）に第１の辺１１ａが接合されると共に、第１の中間非接合部Ｙに対応する第２の部材１０２の部位（図１８で言えば、第２の部材１０２のＳ1Ｔ1の部位）に第１の辺１１ａが非接合され、第２の辺１１ｂが第２の部材１０２（図１８で言えば、第２の部材１０２のＴ1Ｔ2の部位）に接合され、第３の辺１１ｃが第２の部材１０２及び裏側カバー２に非接合で、第４の辺１１ｄが第２の部材１０２（図１８で言えば、第２の部材１０２のＳ1Ｓ2の部位）に接合されている。
【００３１】
また、図１６に示すＹ1’は図示しない布団（又は掛け布団又は毛布）の出し入れをする第２の開口部で、第２の開口部Ｙ1’は、第１の短辺ＭＮよりは第２の短辺ＰＯに近い側にあって、表側カバー１に設けられると共に、第１の短辺ＭＮ及び第２の短辺ＰＯに平行なものである。
３部材１０１、１０２、１０３の内、第３の部材１０３の長さａである一方の長さａの辺ＰＯは裏側カバー２の短辺Ｐ’Ｏ’と接合（接合とは、例えば、縫製であり、図１８の「ｘｘｘ」及び「ーーー」は、接合される部位を示している。以下、同様である。）され、第３の部材１０３の長さａである他方の長さａの辺ＨＧと第２の部材１０２の長さａである一方の長さａの辺ＶＵは、第３の部材１０３及び第２の部材１０２の一方の端Ｖ（Ｈ）から他方の端Ｕ（Ｇ）に向かって、順次、第３の部材１０３と第２の部材１０２とが接合する部位（接合する部位は、図１８で言えば、第３の部材１０３のＨＨ1と第２の部材１０２のＶＶ1である。）である第１’の接合部Ｘ’、第３の部材１０３と第２の部材１０２とが接合しない部位（接合しない部位は、図１８で言えば、第３の部材１０３のＨ1Ｇ1と第２の部材１０２のＶ1Ｕ1である。）である第２の中間非接合部Ｙ’、第３の部材１０３と第２の部材１０２とが接合する部位（接合する部位は、図１８で言えば、第３の部材１０３のＧ1Ｇと第２の部材１０２のＵ1Ｕである。）である第２’の接合部Ｚ’である（図１５及び図１８）。
また、第２の飛び出し防止部材１２は、平面視、時計回りに、第１’の辺１２ａ、第２’の辺１２ｂ、第３’の辺１２ｃ、第４’の辺１２ｄを有し、第２の中間非接合部Ｙ’に対応する第３の部材１０３の部位（図１８で言えば、Ｈ1Ｇ1）に第１’の辺１２ａが接合すると共に、第２の中間非接合部Ｙ’に対応する第２の部材１０２の部位（図１８で言えば、第２の部材１０２のＶ1Ｕ1の部位）に第１’の辺１２ａが非接合され、第２’の辺１２ｂが第２の部材１０２（図１８で言えば、第２の部材１０２のＶ1Ｖ2の部位）に接合され、第３’の辺１２ｃが第２の部材１０２及び裏側カバー２に非接合で、第４’の辺１２ｄが第２の部材１０２（図１８で言えば、第２の部材１０２のＵ1Ｕ2の部位）に接合されている。
【００３２】
この実施例も、上述の実施例と同様に、布団カバーＫ内への図示しない布団（又は掛け布団又は毛布）は、第１の開口部Ｙ1を利用して入れ、入れた方と逆の第２の開口部Ｙ1’を利用して手を入れて、入れた図示しない布団（又は掛け布団又は毛布）を、袋状の本体１０の内部へ引っ張り込み易く、作業性が良いと共に、収納後は、袋状の本体１０により、収納した図示しない布団（又は掛け布団又は毛布）が袋状の本体１０の内部からはみ出しにくくなっている。
【００３３】
また、上述した実施例（図１６〜図２２）においては、表側カバー１を第１の部材１０１、第２の部材１０２、第３の部材１０３と３部材で形成したが、本発明は、これに限らず、図１８記載の第１の部材１０１の第１の短辺ＭＮと裏側カバー２の第１’の短辺Ｍ’Ｎ’、第３の部材１０３の第２の短辺ＰＯと裏側カバー２の第２’の短辺Ｐ’Ｏ’を一体化して、図２３〜図２９に示すように、裏側カバー２の第１’の短辺ＭＮと裏側カバー２の第２’の短辺ＰＯとに相当する部位で折り曲げるようにしても良い。
【００３４】
即ち、図２３に示す１０は、内部に図示しない掛け布団（又は毛布又は布団）を収納する袋状の本体で、本体１０は、平面視、長さａである第１、第２の短辺MN、POと長さｂである第１、第２の長辺MP、NOの矩形形状の表側カバー１と、長さａである第１’、第２’の短辺MN、POと長さｂ（縫い代を考慮し、ｂ１＋ｂ２＋ｂ３≧ｂ）である第１’、第２’の長辺の裏側カバー２とを有する。
裏側カバー２は、展開した状態において、長さａである第１、第２の短辺ＲＱ、ＨＧと、長さ（ｂ１＋ｂ＋ｂ３）である第１、第２の長辺ＲＨ、ＱＧの矩形形状ＲＱＧＨの部材で、裏側カバー２は、第１の短辺ＲＱから距離ｂ１で折り返され、ＭＮは、折り目となっている。また、裏側カバー２は、第１の短辺ＨＧから距離ｂ３で折り返され、POは、折り目となっている。
【００３５】
表側カバー１は、図２３及び図２５に示すように、１０１’、１０２’、１０３’の３部分で構成され、第１の部分１０１’は、裏側カバー２の一方の端部ＲＱに近い側を折り返して（折り目ＭＮ）形成される長さａである辺MN、RQ、長さｂ１（ａ＞ｂ１）である辺MR、NQの矩形形状ＭＮＱＲとなっている。
第２の部分１０２’は、長さａである辺ＳＴ、ＶＵ、長さｂ２（ａ＞ｂ２）である辺ＳＶ、ＴＵの矩形形状ＳＴＵＶの部材である。
第３の部分１０３’は、裏側カバー２の他方の端部HGに近い側を折り返して（折り目PO）形成される長さａである辺HG、PO、長さｂ３（ａ＞ｂ３）である辺HP、GOの矩形形状HGOPとなっている。ここで、縫い代を考慮し、ｂ１＋ｂ２＋ｂ３≧ｂ、ｂ２＞ｂ１≧ｂ３となっている。
【００３６】
また、上記した３部分１０１’、１０２’、１０３’の内、第１の部分１０１’の端部の長さａの辺RQは、第２の部分１０２’の部材の長さａである他方の長さａの辺ＳＴと  、第１の部分１０１’及び第２の部分１０２’の部材の一方の端S(R)から他方の端T(Q)に向かって、順次、第１の部分１０１’と第２の部分１０２’の部材とが接合（接合とは、例えば、縫製であり、図２５の「ｘｘｘ」及び「ーーー」は、接合される部位を示している。以下、同様である。）する部位ＲＲ1、ＳＳ1である第１の接合部X、第１の部分１０１’と第２の部分１０２’の部材とが接合しない部位Ｒ1Ｑ1、Ｓ1Ｔ1である第１の中間非接合部Ｙ（この第１の中間非接合部Ｙが図示しない布団又は掛け布団又は毛布の本体１０内への出し入れの窓口である第１の開口部Ｙ1を形成する。）、第１の部分１０１’と第２の部分１０２’の部材とが接合する部位Ｑ1Ｑ、Ｔ1Ｔである第２の接合部Ｚとなっている。 
【００３７】
また、図２５に示す１１は第１の飛び出し防止部材で、第１の飛び出し防止部材１１は、時計回りに、第１の辺１１ａ、第２の辺１１ｂ、第３の辺１１ｃ、第４の辺１１ｄを有している。
第１の中間非接合部Yに対応する第１の部分１０１’の部位Ｒ1Ｑ1に第１の辺１１ａが接合すると共に、第１の中間非接合部Yに対応する第２の部分１０２’の部材の部位Ｓ1Ｔ1に第１の辺１１ａが非接合され、第２の辺１１ｂが第２の部分１０２’の部材に接合され（接合部位はT1T2）、第３の辺１１ｃが第２の部分１０２’の部材及び裏側カバー２に非接合で、第４の辺１１ｄが第２の部分１０２’の部材に接合されている（接合部位はS2S1）。
【００３８】
また、第３の部分１０３’の端部の長さａである他方の長さａの辺HGは、第２の部分１０２’の部材の長さａである一方の長さａの辺VUと、第３の部分１０３’及び第２の部分１０２’の部材の一方の端H(V)から他方の端G(U)に向かって、順次、第３の部分１０３’と第２の部分１０２’の部材とが接合する部位HH1、VV1である第１’の接合部Ｘ’、第３の部分１０３’と第２の部分１０２’の部材とが接合しない部位H1Ｇ1、V1Ｕ1である第２の中間非接合部Ｙ’（この第２の中間非接合部Ｙ’が図示しない布団又は掛け布団又は毛布の本体１０内への出し入れの窓口である第２の開口部Ｙ1’を形成する。）、第３の部分１０３’と第２の部分１０２’の部材とが接合する部位G1G、U1Uである第２’の接合部Ｚ’となっている。 
【００３９】
また、図２５に示す１２は第２の飛び出し防止部材で、第２の飛び出し防止部材１２は、時計回りに、第１’の辺１２ａ、第２’の辺１２ｂ、第３’の辺１２ｃ、第４’の辺１２ｄを有している。
第２の中間非接合部Ｙ’に対応する第３の部分１０３’の部位H1Ｇ1に第１’の辺１２ａが接合すると共に、第２の中間非接合部Ｙ’に対応する第２の部分１０２’の部材の部位Ｖ1Ｕ1に第１’の辺１２ａが非接合され、第２’の辺１２ｂが第２の部分１０２’の部材に接合され（接合部位はＶ1Ｖ2）、第３’の辺１２ｃが第２の部分１０２’の部材及び裏側カバー２に非接合で、第４’の辺１２ｄが第２の部分１０２’の部材に接合されている（接合部位はＵ2Ｕ1）。
【００４０】
この実施例（図２３〜図２９）も、上述の実施例（図１６〜図２２）と同様に、布団カバーＫ内への図示しない布団（又は掛け布団又は毛布）は、第１の開口部Ｙ1を利用して入れ、入れた方と逆の第２の開口部Ｙ1’を利用して手を入れて、入れた図示しない布団（又は掛け布団又は毛布）を、袋状の本体１０の内部へ引っ張り込み易く、作業性が良いと共に、収納後は、袋状の本体１０により、収納した図示しない布団（又は掛け布団又は毛布）が袋状の本体１０の内部からはみ出しにくくなっている。
【００４１】
また、上述した実施例（図１６〜図２２及び図２３〜図２９）においては、第１の飛び出し防止部材１１及び第２の飛び出し防止部材１２を設けるようにしているが、本発明はこれに限らず、場合により第１の飛び出し防止部材１１及び第２の飛び出し防止部材１２を省略して、表側カバー１に、第１の開口部Ｙ1と第２の開口部Ｙ1’とを設けるようにして、第１の開口部Ｙ1、第２の開口部Ｙ1’を介して、布団カバーＫ内への図示しない布団（又は掛け布団又は毛布）の出し入れを行うようにしても良い。
即ち、第１の開口部Ｙ1は、第２の短辺ＰＯよりは第１の短辺ＭＮに近い側にあって、表側カバー１に設けられると共に、第１の短辺ＭＮ及び第２の短辺ＰＯに平行な、図示しない布団（又は掛け布団又は毛布）を出し入れするものである。 
また、第２の開口部Ｙ1’は、第１の短辺ＭＮよりは第２の短辺ＰＯに近い側にあって、表側カバー１に設けられると共に、第１の短辺ＭＮ及び第２の短辺ＰＯに平行な、図示しない布団（又は掛け布団又は毛布）を出し入れするものである。 
第１の開口部Ｙ1及び第２の開口部Ｙ1’の長さは、第１の短辺ＭＮ及び第２の短辺ＰＯの長さａより短くなっている。
【００４２】
上述した実施例の図１３、図１６、図２３の第１の飛び出し防止部材１１の第３の辺１１ｃの中央の部位は、第３の辺１１ｃの両端の部位より第１の辺１１ａに近くなるように、第３の辺１１ｃは、Ｖ形状（又はＵ形状）に、第２の飛び出し防止部材１２の第３’の辺１２ｃの中央の部位は、第３’の辺１２ｃの両端の部位より第１’の辺１２ａに近くなるように、第３’の辺１２ｃは、Ｖ形状（又はＵ形状）に、それぞれ形成するようにしたが、本発明はこれに限らず、図１３、図１６、図２３の第１の飛び出し防止部材１１及び第２の飛び出し防止部材１２を、図１に示すように、直線状に形成し、第１の飛び出し防止部材１１及び第２の飛び出し防止部材１２を、平面視、矩形形状に形成するようにしても良い。
【図面の簡単な説明】
【００４３】
【図１】図１は、本発明の一実施例の布団カバーの概略的正面図である。
【図２】図２は、図１を矢印Ａから見た概略的正面図である。
【図３】図３は、図１の布団カバーを分解して示す概略的分解斜視図である。
【図４】図４は、図１のＢ−Ｂ線による概略的断面図である。
【図５】図５は、図１のＣ−Ｃ線による概略的断面図である。
【図６】図６は、図１のＤ−Ｄ線による概略的断面図である。
【図７】図７は、図１のＥ−Ｅ線による概略的断面図である。
【図８】図８は、図１の布団カバーに布団を入れる状態の概略的斜視図である。
【図９】図９（ａ）〜（ｄ）は、図１の布団カバーに布団を入れる状態を段階的に示す概略的断面図であり、図９（ａ）は、図１の布団カバーに布団の一部を入れた状態を、図９（ｄ）は、図１の布団カバーに布団の全部を入れた状態を、それぞれ示している。
【図１０】図１０は、図１の布団カバーに第１の飛び出し防止部材と表側カバーとを接続する部材及び第２の飛び出し防止部材と表側カバーとを接続する部材をそれぞれ取り付けた場合の概略的断面図である。
【図１１】図１１は、図１０と異なる他の実施例の概略的断面図である。
【図１２】図１２は、図１１と異なる他の実施例の概略的断面図である。
【図１３】図１３は、図１の布団カバーと異なる他の実施例の布団カバーの概略的平面図である。
【図１４】図１４は、図１３の布団カバーと異なる他の実施例の布団カバーに布団を入れる状態の概略的斜視図である。
【図１５】図１５（ａ）〜（ｄ）は、図１４の布団カバーに布団を入れる状態を段階的に示す概略的断面図であり、図１５（ａ）は、図１４の布団カバーに布団の一部を入れた状態を、図１５（ｄ）は、図１４の布団カバーに布団の全部を入れた状態を、それぞれ示している。
【図１６】図１６は、図１４の布団カバーと異なる他の実施例の布団カバーの概略的平面図である。
【図１７】図１７は、図１６を矢印Ａ’から見た概略的正面図である。
【図１８】図１８は、図１６の布団カバーを分解して示す概略的分解斜視図である。
【図１９】図１９は、図１６のＢ’−Ｂ’線又は図１６のＤ’−Ｄ’線による概略的断面図である。
【図２０】図２０は、図１６のＣ’−Ｃ’線による概略的断面図である。
【図２１】図２１は、図１６のＥ’−Ｅ’線による概略的断面図である。
【図２２】図２２は、図１６のＦ’−Ｆ’線による概略的断面図である。
【図２３】図２３は、図１６の布団カバーと異なる他の実施例の布団カバーの概略的平面図である。
【図２４】図２４は、図２３を矢印Ａ’から見た概略的正面図である。
【図２５】図２５は、図２３の布団カバーを分解して示す概略的分解斜視図である。
【図２６】図２６は、図２３のＢ’−Ｂ’線又は図２３のＤ’−Ｄ’線による概略的断面図である。
【図２７】図２７は、図２３のＣ’−Ｃ’線による概略的断面図である。
【図２８】図２８は、図２３のＥ’−Ｅ’線による概略的断面図である。
【図２９】図２９は、図２３のＦ’−Ｆ’線による概略的断面図である。
【符号の説明】
【００４４】
Ｋ        布団カバー
Ｆ        掛け布団
１        表側カバー
２        裏側カバー
【図１】
2008289704.tif 000003
【図２】
2008289704.tif 000004
【図３】
2008289704.tif 000005
【図４】
2008289704.tif 000006
【図５】
2008289704.tif 000007
【図６】
2008289704.tif 000008
【図７】
2008289704.tif 000009
【図８】
2008289704.tif 000010
【図９】
2008289704.tif 000011
【図１０】
2008289704.tif 000012
【図１１】
2008289704.tif 000013
【図１２】
2008289704.tif 000014
【図１３】
2008289704.tif 000015
【図１４】
2008289704.tif 000016
【図１５】
2008289704.tif 000017
【図１６】
2008289704.tif 000018
【図１７】
2008289704.tif 000019
【図１８】
2008289704.tif 000020
【図１９】
2008289704.tif 000021
【図２０】
2008289704.tif 000022
【図２１】
2008289704.tif 000023
【図２２】
2008289704.tif 000024
【図２３】
2008289704.tif 000025
【図２４】
2008289704.tif 000026
【図２５】
2008289704.tif 000027
【図２６】
2008289704.tif 000028
【図２７】
2008289704.tif 000029
【図２８】
2008289704.tif 000030
【図２９】
2008289704.tif 000031